(57)【要約】【課題】  本人が求める好ましいヘアスタイルを実現するのに、つむじが割れる、分け目が目立ち過ぎる、ボリュームが足りないなど、ほんのちょっとの不足事項を自分で手軽にカバー出来る毛髪用装具を提供する。【解決手段】面ファスナーのフック素材を使って、毛髪のつむじ、分け目、ボリュームのコントロールをする事を目的に、その目的にあわせてデザインし、毛髪の中になじませるようにして装具を装着させて使用する。また、理美容室及び毛髪関連商品販売店においては個客のつむじ、分け目、ボリュームのコントロールの問題の大小に合わせて、大きさ、補強具合を調節して販売する。【選択図】図１
2010159528.tif 000002
【特許請求の範囲】
【請求項１】
面ファスナーのフック素材を使って、毛髪のつむじ、分け目、ボリュームのコントロールをする事を目的に、その目的にあわせてデザインして、毛髪の中になじませるようにして使用する装具。
【請求項２】
（請求項１）記載のつむじ、分け目、ボリュームコントロールの為の毛髪用装具を自毛の中になじませる様に装着させて使用する方法。
【請求項３】
（請求項１）記載のつむじ、分け目、ボリュームコントロールの為の毛髪用装具を理美容室及び毛髪関連商品販売店において個客のつむじ、分け目、ボリュームのコントロールの問題の大小に合わせて、大きさ、補強具合を調節して販売する方法。
【発明の詳細な説明】
【技術分野】
【０００１】  本発明は毛髪に押し当て、なじませるだけで求める毛髪の立ち上がり、ボリュームを出せる毛髪用装具に関する。
【背景技術】
【０００２】  主な理由として加齢が挙げられるが、毛髪にコシがなくなりボリュームが出なくなる結果、つむじが割れる、分け目が目立つなどの問題が生じてくる。【０００３】  またヘアスタイルを作る上でボリュームを大きく出すヘアスタイルを要望する人がいる。【０００４】  このような場合パーマネントウェーブをかけてボリュームを出す方法があるが、繰り返す事によって毛髪が傷みかえってコシがなくなってくる。【０００５】  またヘアスタイリング剤としてヘアスプレーやヘアワックスを使用する方法もあるが、これらは長時間に渡ってヘアスタイルを維持出来ない。【０００６】  また、部分ウィッグ（特許文献１）や増毛法（特許文献２）などがあるが、高価であったり、使用後の変化が激しすぎたりした。
【特許文献１】特開２００７−０３１９１６
【特許文献２】特開平０８−０２７６０８
【発明の開示】
【発明が解決しようとする課題】
【０００７】以上に述べた従来の方法は高価であったり増毛法（特許文献１）、使用前後のシルエットが大きく変化し過ぎたり部分ウィッグ（特許文献２）、ヘアスプレーなどの様に目的維持時間が短かったりであった。【０００８】本発明は、このような従来の公正が有していた問題を解決しようとするものであり安価で手軽で全体シルエットを大幅に変えずに問題箇所だけを的確に長時間カバーさせる事を目的とするものである。
【課題を解決するための手段】
【０００９】そして、本発明は上記目的を達成する為に、面ファスナーのフック面素材を使用し使用目的に合わせて裁断し、必要な時は張り合わせて、目的箇所に的確にあてがい自毛となじませて、使用する。【００１０】上記必要な時とは、個人によって自毛の太さや量が違うため、毛質の太い場合や、毛量の多い場合を指す。【００１１】また第二の課題解決手段として、理美容室及び毛髪関連商品販売店などで販売する場合に個人に合わせてその場で大きさ、長さ、補強具合を調節して販売出来るようにさせておく。
【発明の効果】
【００１２】上述したように、本発明の効果は次の通りである。すなわち、本発明が小型軽量であり、日常に見慣れている素材で作られているために安易に使用方法が理解でき、実際に装着が簡単で、使用者は自分の問題箇所を素早く、的確にカバーする事が出来る。【００１３】また第二の課題解決手段を通して、個人の問題の大小を的確に捕らえる事が出来る。【００１４】本発明は、応用範囲が広くショートヘアからロングヘアまで、そして若者から年配者まで幅広く利用でき、色も変えることによってどのようなヘアスタイルにも対応出来る。
【発明を実施するための最良の形態】
【００１５】以下本発明の実施の形態を図１から図５に基づいて説明する。【００１６】図１において、５１、をブリッジと呼び毛流そのものを立ち上げたり、意図した方向に導いたりする役割を持つ。【００１７】図１において、５２、をアームと呼び５１で方向付けた毛髪を根元から毛先までのボリュームや表情をコントロールし留める役割を持つ。【００１８】基本的な装着法は、５１が頭皮側で５２が毛先側にくるようにし、５２のフック面が上向きになるように装着させる。【００１９】本発明のつむじ、分け目、ボリューム補正具を補強させる場合は、５１の部分の幅を広げたり、裏面にも同様に面ファスナーのフック素材を張り合わせて、使用時に下側にくる毛髪も絡ませ易くする事によって補強する。【００２０】５２の部分は櫛状になっており、その事によってつむじ、分け目、ボリューム補正具自体が自由に動くように設計されており、毛髪に自然になじみ、見た目にもその存在がわからなくなり、毛髪の毛先まで受け止めているので、取れにくくなる。【００２１】図２は図１を変形させた１つのパターンで、５１の部分に角度をつける事によって、５１自体が曲がり易くなり、頭頂の傾斜の大きい所に合わせ易くなっていて、湾曲した５１から伸びる５２は外に開くようになっていて毛髪が密に集中しない様になっている。【００２２】図３は図１の反対側にも５２形状の５３が伸びている形態で、この部分をレッグと呼びその目的は頭皮側に折り返す様に装着させて、装具自身を押し上げ固定して更なるボリュームを出す。【００２３】５１を中心に５２と５３を有する形態の本発明品はフック面を頭皮側にして、貼り付けるように使用する事で毛髪のボリュームを押さえる事が出来る【００２４】図４は図３を変形させた１つのパターンで、右斜め、左斜めが存在し大きな毛流補正に使用する。【００２５】５１，５２，５３は安易に裁断出来るので個人の使用箇所に応じてサイズを調節出来る。
【産業上の利用可能性】
【００２６】脱着が簡単で安価で裁断が自在なので、あらゆるヘアスタイルに応用ができ、ヘアショーや結婚式などのその場で即興でヘアスタイルチェンジをさせる時などにも応用出来る。【００２７】雑貨店、ドラッグストア、化粧品店での販売はもちろん理美容室及び対面販売の形態では顧客のニーズに合わせて調節しオリジナルとして渡せるので、顧客の囲い込みツールとして、利用できる。
【図面の簡単な説明】
【００２８】
【図１】比較的平面で小さい範囲のつむじ、分け目、ボリュームの補正に使用。
【００２９】
【図２】比較的曲面で大きな範囲のつむじ、分け目、ボリュームの補正に使用。
【００３０】
【図３】特にボリュームを多く出したい時、ロングヘアの補正に使用。
【００３１】
【図４】右横流れの毛髪の補正に使用。
【００３２】
【図５】左横流れの毛髪の補正に使用。
【符号の説明】
【００３３】５１  ブリッジ  毛流そのものを立ち上げたり、意図した方向に導いたりする役割を持つ。【００３４】５２  アーム  ５１で方向付けた毛髪を根元から毛先までのボリュームや表情をコントロールし留める役割を持つ。【００３５】５３  レッグ  頭皮側に折り返す様に装着させて、装具自身を押し上げ固定して更なるボリュームを出す。
【図１】
2010159528.tif 000003
【図２】
2010159528.tif 000004
【図３】
2010159528.tif 000005
【図４】
2010159528.tif 000006
【図５】
2010159528.tif 000007